(57)【要約】【課題】従来よりも額縁を顕著に小さくした表示装置を提供する。【解決手段】ＴＦＴ基板１００と対向基板２００とからなる液晶パネルを備えた液晶表示装置において、ゲートドライバ接続端子１２に与えられた走査信号をゲートバスラインＧＬに伝達するための走査信号伝達配線は、ＴＦＴ基板１００に配設されたアレイ基板側伝達配線１５と対向基板２００に配設された対向基板側伝達配線２３とによって構成される。アレイ基板側伝達配線１５と対向基板側伝達配線２３とを電気的に接続するためのコンタクト部１３，コンタクト部２１がそれぞれＴＦＴ基板１００，対向基板２００に設けられる。対向基板側伝達配線２３とゲートバスラインＧＬとを電気的に接続するためのコンタクト部２２，コンタクト部１４がそれぞれ対向基板２００，ＴＦＴ基板１００に設けられる。【選択図】図１
2015055712.tif 000002
【特許請求の範囲】
【請求項１】
映像信号を伝達するための映像信号線と、前記映像信号線と交差する走査信号線と、前記映像信号線と前記走査信号線との交差点に対応して設けられた画素電極とを有する表示装置であって、
前記走査信号線を駆動する走査信号線駆動部と、
前記映像信号線を駆動する映像信号線駆動部と、
前記走査信号線および前記映像信号線が配設され前記走査信号線駆動部から出力される走査信号が与えられる走査信号入力端子を有するアレイ基板と、前記アレイ基板に対向するように設けられた対向基板とからなり、前記走査信号入力端子から前記走査信号線に前記走査信号を伝達するための走査信号伝達配線が設けられた表示パネルと
を備え、
前記表示パネルの一辺側に、前記走査信号線駆動部および前記映像信号線駆動部の双方が設けられ、
前記走査信号伝達配線は、前記アレイ基板に配設されたアレイ基板側伝達配線と前記対向基板に配設された対向基板側伝達配線とによって構成され、
前記アレイ基板には、前記アレイ基板側伝達配線と前記対向基板側伝達配線とを電気的に接続するための第１のアレイ基板側コンタクト部と、前記対向基板側伝達配線と前記走査信号線とを電気的に接続するための第２のアレイ基板側コンタクト部とが形成され、
前記対向基板には、前記アレイ基板側伝達配線と前記対向基板側伝達配線とを電気的に接続するための、前記第１のアレイ基板側コンタクト部に対向するように設けられた第１の対向基板側コンタクト部と、前記対向基板側伝達配線と前記走査信号線とを電気的に接続するための、前記第２のアレイ基板側コンタクト部に対向するように設けられた第２の対向基板側コンタクト部とが形成されていることを特徴とする、表示装置。
【請求項２】
前記走査信号線の延びる方向に着目したとき、前記対向基板側伝達配線は、前記走査信号線の少なくとも一部を覆うように配設され、
前記映像信号線の延びる方向に着目したとき、前記対向基板側伝達配線は、前記映像信号線の少なくとも一部を覆うように配設されていることを特徴とする、請求項１に記載の表示装置。
【請求項３】
１つの列に対応する映像信号線は、奇数行目の画素電極に前記映像信号を供給するための第１の映像信号線と偶数行目の画素電極に前記映像信号を供給するための第２の映像信号線とによって構成され、
前記走査信号線駆動部は、２本ずつ前記走査信号線を駆動し、
前記映像信号線の延びる方向に着目したとき、前記対向基板側伝達配線は、互いに近接する前記第１の映像信号線と前記第２の映像信号線との間の領域を覆うように配設されていることを特徴とする、請求項１に記載の表示装置。
【請求項４】
前記アレイ基板は、前記走査信号線の近傍に前記走査信号線と平行になるように配設された補助容量線を有し、
前記走査信号線の延びる方向に着目したとき、前記対向基板側伝達配線は、前記走査信号線と前記補助容量線との間の領域を覆うように配設されていることを特徴とする、請求項１に記載の表示装置。
【請求項５】
前記対向基板には、光漏れを防止するためのブラックマトリクスが形成され、
前記ブラックマトリクスが前記対向基板側伝達配線として用いられていることを特徴とする、請求項１に記載の表示装置。
【請求項６】
前記ブラックマトリクスは、前記対向基板側伝達配線として機能する部分と前記対向基板側伝達配線として機能しない部分とに分割されていることを特徴とする、請求項５に記載の表示装置。
【請求項７】
全ての前記走査信号伝達配線の長さが同じであることを特徴とする、請求項１に記載の表示装置。
【請求項８】
全ての前記アレイ基板側伝達配線の長さが同じであって、全ての前記対向基板側伝達配線の長さが同じであることを特徴とする、請求項７に記載の表示装置。
【請求項９】
前記走査信号伝達配線に関し、前記アレイ基板側伝達配線の長さが長いほど前記対向基板側伝達配線の長さが短いことを特徴とする、請求項７に記載の表示装置。
【請求項１０】
各走査信号伝達配線の幅を調整することによって、全ての前記走査信号伝達配線の時定数が等しくされていることを特徴とする、請求項１に記載の表示装置。
【請求項１１】
前記第２のアレイ基板側コンタクト部および前記第２の対向基板側コンタクト部は、前記走査信号線と前記映像信号線と前記画素電極とが設けられている領域である表示領域に形成されていることを特徴とする、請求項１に記載の表示装置。
【請求項１２】
前記走査信号線駆動部および前記映像信号線駆動部は、前記表示パネルの四辺のうちの前記走査信号線に平行な一辺側に設けられていることを特徴とする、請求項１に記載の表示装置。
【請求項１３】
前記表示パネルは、背景を透過状態にしつつ画像を表示することができることを特徴とする、請求項１から１２までのいずれか１項に記載の表示装置。
【発明の詳細な説明】
【技術分野】
【０００１】
本発明は表示装置に関し、より詳しくは、表示装置の配線構造に関する。
【背景技術】
【０００２】
一般に、アクティブマトリクス型の液晶表示装置は、互いに対向する２枚の絶縁性のガラス基板で構成される液晶パネルを備えている。液晶パネルの一方のガラス基板（以下、「ＴＦＴ基板」という。）には、ゲートバスライン（走査信号線）とソースバスライン（映像信号線）とが格子状に設けられ、ゲートバスラインとソースバスラインとの交差点近傍にＴＦＴ（薄膜トランジスタ）が設けられている。ＴＦＴは、ゲートバスラインに接続されたゲート電極、ソースバスラインに接続されたソース電極、およびドレイン電極とから構成される。ドレイン電極は、画像を形成するためにＴＦＴ基板上にマトリクス状に配置された画素電極と接続されている。また、液晶パネルの他方のガラス基板（以下、「対向基板」という。）には、液晶層を介して画素電極との間に電圧を印加するための共通電極が設けられている。そして、各ＴＦＴのゲート電極がゲートバスラインからアクティブな走査信号を受けたときに当該ＴＦＴのソース電極がソースバスラインから受ける映像信号に基づいて、当該映像信号の電位と共通電極に与えられている電位との差である電圧が液晶層に印加される。これにより液晶が駆動され、画面上に所望の画像が表示される。
【０００３】
上述のような液晶表示装置などの表示装置に関し、近年、小型化への要求が高まっている。そこで、表示装置の小型化を実現するために、狭額縁化に関する各種の提案がなされている。狭額縁化については、パネル上から駆動用のドライバ部を削減することが効果的である。これに関し、ゲートバスラインを片側駆動にするとともにソースバスラインも片側駆動にする構成（以下、「第１の従来構成」という）を採用することによって、パネルの四辺のうちの二辺についてはドライバ部が不要となるので、二辺の狭額縁化が可能となる。
【０００４】
また、ゲートバスラインを駆動するゲートドライバおよびソースバスラインを駆動するソースドライバの双方をパネルの一辺側に配置させる構成（以下、「第２の従来構成」という）が提案されている。このような第２の従来構成によれば、パネルの三辺についてはドライバ部が設けられない。従って、第１の従来構成に比べて表示装置を小型化することが可能となる。また、第２の従来構成において、全体のサイズを維持した場合には、有効表示領域が拡大される。以上のような趣旨の発明は、例えば、特開２００９−１１５９４０号公報，特開２００５−９１９６２号公報，特開２００８−６４９６１号公報，および国際公開第２０１１／０６１９６１号パンフレットに開示されている。なお、第２の従来構成が採用される場合、一般的には、ソースドライバが従来より配置されている側に、ゲートドライバおよびソースドライバの双方が配置される。何故ならば、ソースバスラインは高速駆動される必要があり、ソースバスラインについてはソースドライバからの配線距離をできるだけ短くする方が好ましいからである。
【先行技術文献】
【特許文献】
【０００５】
【特許文献１】特開２００９−１１５９４０号公報
【特許文献２】特開２００５−９１９６２号公報
【特許文献３】特開２００８−６４９６１号公報
【特許文献４】国際公開第２０１１／０６１９６１号パンフレット
【発明の概要】
【発明が解決しようとする課題】
【０００６】
図４２は、第２の従来構成におけるＴＦＴ基板９００の配線構造の一例を示す平面模式図である。ＴＦＴ基板９００には、複数本のゲートバスラインＧＬと複数本のソースバスラインＳＬとが配設されている。また、ＴＦＴ基板９００には、画素電極９３がマトリクス状に形成されている。なお、図４２には、「ダブルソース駆動」などと呼ばれる駆動方法が採用されている場合の配線構造を示している。また、図４２の各画素電極９３には、或るフレームにおける画素の極性を示している。
【０００７】
ＴＦＴ基板９００の一辺側（図４２では上側）には、ソースバスラインＳＬに与えるための駆動用映像信号をソースドライバから受け取るための端子（以下、「ソースドライバ接続端子」という。）９１と、ゲートバスラインＧＬに与えるための走査信号をゲートドライバから受け取るための端子（以下、「ゲートドライバ接続端子」という。）９２とが設けられている。ここで、図４２において、ゲートドライバ接続端子９２とゲートバスラインＧＬとを接続している配線（以下、「走査信号伝達配線」という）９８に着目する。図４２に示すように、ゲートバスラインＧＬの端部でゲートバスラインＧＬと走査信号伝達配線９８とが接続されるよう、走査信号伝達配線９８は、ゲートドライバ接続端子９２からゲートバスラインＧＬの端部へとＴＦＴ基板９００の二辺（図４２では左右の両辺）近傍を引き回すように配設されている。すなわち、第２の従来構成によれば、ゲートバスラインＧＬの端部近傍にゲートドライバが設けられる構成に比べると表示部の両側の額縁領域は小さくなっているが、ＴＦＴ基板９００の二辺近傍に走査信号伝達配線９８のための領域９９Ｌ，９９Ｒが必要となっている。例えば、フルＨＤ（Ｆｕｌｌ  Ｈｉｇｈ  Ｄｅｆｉｎｉｔｉｏｎ）の表示装置の場合、１０８０本の走査信号伝達配線９８のための領域が必要となる。ところが、近年、更なる表示装置の小型化や有効表示領域の拡大が実現されるよう、パネルの更なる狭額縁化が求められている。
【０００８】
そこで本発明は、従来よりも額縁を顕著に小さくした表示装置を提供することを目的とする。
【課題を解決するための手段】
【０００９】
第１の発明は、映像信号を伝達するための映像信号線と、前記映像信号線と交差する走査信号線と、前記映像信号線と前記走査信号線との交差点に対応して設けられた画素電極とを有する表示装置であって、
前記走査信号線を駆動する走査信号線駆動部と、
前記映像信号線を駆動する映像信号線駆動部と、
前記走査信号線および前記映像信号線が配設され前記走査信号線駆動部から出力される走査信号が与えられる走査信号入力端子を有するアレイ基板と、前記アレイ基板に対向するように設けられた対向基板とからなり、前記走査信号入力端子から前記走査信号線に前記走査信号を伝達するための走査信号伝達配線が設けられた表示パネルと
を備え、
前記表示パネルの一辺側に、前記走査信号線駆動部および前記映像信号線駆動部の双方が設けられ、
前記走査信号伝達配線は、前記アレイ基板に配設されたアレイ基板側伝達配線と前記対向基板に配設された対向基板側伝達配線とによって構成され、
前記アレイ基板には、前記アレイ基板側伝達配線と前記対向基板側伝達配線とを電気的に接続するための第１のアレイ基板側コンタクト部と、前記対向基板側伝達配線と前記走査信号線とを電気的に接続するための第２のアレイ基板側コンタクト部とが形成され、
前記対向基板には、前記アレイ基板側伝達配線と前記対向基板側伝達配線とを電気的に接続するための、前記第１のアレイ基板側コンタクト部に対向するように設けられた第１の対向基板側コンタクト部と、前記対向基板側伝達配線と前記走査信号線とを電気的に接続するための、前記第２のアレイ基板側コンタクト部に対向するように設けられた第２の対向基板側コンタクト部とが形成されていることを特徴とする。
【００１０】
第２の発明は、第１の発明において、
前記走査信号線の延びる方向に着目したとき、前記対向基板側伝達配線は、前記走査信号線の少なくとも一部を覆うように配設され、
前記映像信号線の延びる方向に着目したとき、前記対向基板側伝達配線は、前記映像信号線の少なくとも一部を覆うように配設されていることを特徴とする。
【００１１】
第３の発明は、第１の発明において、
１つの列に対応する映像信号線は、奇数行目の画素電極に前記映像信号を供給するための第１の映像信号線と偶数行目の画素電極に前記映像信号を供給するための第２の映像信号線とによって構成され、
前記走査信号線駆動部は、２本ずつ前記走査信号線を駆動し、
前記映像信号線の延びる方向に着目したとき、前記対向基板側伝達配線は、互いに近接する前記第１の映像信号線と前記第２の映像信号線との間の領域を覆うように配設されていることを特徴とする。
【００１２】
第４の発明は、第１の発明において、
前記アレイ基板は、前記走査信号線の近傍に前記走査信号線と平行になるように配設された補助容量線を有し、
前記走査信号線の延びる方向に着目したとき、前記対向基板側伝達配線は、前記走査信号線と前記補助容量線との間の領域を覆うように配設されていることを特徴とする。
【００１３】
第５の発明は、第１の発明において、
前記対向基板には、光漏れを防止するためのブラックマトリクスが形成され、
前記ブラックマトリクスが前記対向基板側伝達配線として用いられていることを特徴とする。
【００１４】
第６の発明は、第５の発明において、
前記ブラックマトリクスは、前記対向基板側伝達配線として機能する部分と前記対向基板側伝達配線として機能しない部分とに分割されていることを特徴とする。
【００１５】
第７の発明は、第１の発明において、
全ての前記走査信号伝達配線の長さが同じであることを特徴とする。
【００１６】
第８の発明は、第７の発明において、
全ての前記アレイ基板側伝達配線の長さが同じであって、全ての前記対向基板側伝達配線の長さが同じであることを特徴とする。
【００１７】
第９の発明は、第７の発明において、
前記走査信号伝達配線に関し、前記アレイ基板側伝達配線の長さが長いほど前記対向基板側伝達配線の長さが短いことを特徴とする。
【００１８】
第１０の発明は、第１の発明において、
各走査信号伝達配線の幅を調整することによって、全ての前記走査信号伝達配線の時定数が等しくされていることを特徴とする。
【００１９】
第１１の発明は、第１の発明において、
前記第２のアレイ基板側コンタクト部および前記第２の対向基板側コンタクト部は、前記走査信号線と前記映像信号線と前記画素電極とが設けられている領域である表示領域に形成されていることを特徴とする。
【００２０】
第１２の発明は、第１の発明において、
前記走査信号線駆動部および前記映像信号線駆動部は、前記表示パネルの四辺のうちの前記走査信号線に平行な一辺側に設けられていることを特徴とする。
【００２１】
第１３の発明は、第１から第１２までのいずれかの発明において、
前記表示パネルは、背景を透過状態にしつつ画像を表示することができることを特徴とする。
【発明の効果】
【００２２】
上記第１の発明によれば、走査信号線を駆動する走査信号線駆動部および映像信号線を駆動する映像信号線駆動部の双方が、表示パネルの一辺側に配置される。このような構成において、対向基板上に、走査信号線駆動部から出力される走査信号を走査信号線に伝達するための走査信号伝達配線（対向基板側伝達配線）が設けられる。このため、走査信号伝達配線のために従来必要とされていた配線領域が不要となる。このように、従来よりも額縁領域を削減することが可能となる。詳しくは、表示パネルの三辺において額縁領域を極めて狭くすることが可能となる。以上より、従来よりも額縁を顕著に小さくした表示装置が実現される。
【００２３】
上記第２の発明によれば、対向基板側伝達配線は走査信号線や映像信号線と上下方向に重なるように配設されるので、対向基板上に対向基板側伝達配線を配設することに起因する開口率の低下が抑制される。
【００２４】
上記第３の発明によれば、「ダブルソース駆動」と呼ばれる駆動方法を採用している表示装置において、互いに近接する２本の映像信号線の間のスペースを覆うように、対向基板上に対向基板側伝達配線が配設される。これにより、それら２本の映像信号線の間のスペースの存在に起因する光漏れが抑制される。
【００２５】
上記第４の発明によれば、走査信号線と補助容量線との間のスペースの存在に起因する光漏れが抑制される。
【００２６】
上記第５の発明によれば、従来より遮光層として用いられていたブラックマトリクスが走査信号伝達配線（対向基板側伝達配線）としても用いられる。このため、対向基板上に新たな配線を設ける必要がない。従って、従来とほぼ同様の製造プロセスで、隣接する画素間からの光漏れを防止しつつ走査信号を伝達する機能を有する走査信号伝達配線を対向基板上に設けることが可能となる。これにより、従来とほぼ同様の製造プロセスで、従来よりも額縁を顕著に小さくすることが可能となる。
【００２７】
上記第６の発明によれば、ブラックマトリクスのうち走査信号伝達配線として機能する部分の時定数が大きくなることが抑制される。このため、走査信号の遅延の発生が抑制され、表示不良の発生が抑制される。
【００２８】
上記第７の発明によれば、全ての走査信号伝達配線の時定数が等しくなる。このため、走査信号伝達配線間の時定数の差に起因して行毎に充電時間が異なることが抑制される。これにより、表示品位を低下させることなく従来よりも額縁を顕著に小さくした表示装置が実現される。また、全ての行の充電時間を等しくするための駆動タイミングの調整が不要となる。
【００２９】
上記第８の発明によれば、上記第７の発明と同様の効果が得られる。
【００３０】
上記第９の発明によれば、上記第７の発明と同様の効果が得られる。
【００３１】
上記第１０の発明によれば、上記第７の発明と同様の効果が得られる。
【００３２】
上記第１１の発明によれば、対向基板側伝達配線と走査信号線とを電気的に接続するためのコンタクト部が表示領域内に設けられる。このため、走査信号線の両端部にはコンタクト部を設ける必要がない。従って、走査信号線の両端部の額縁領域をほぼなくすことが可能となる。以上より、表示装置に関し、コンタクト部が表示パネルの二辺近傍に設けられる構成に比べて、更に額縁領域を狭くすることが可能となる。
【００３３】
上記第１２の発明によれば、映像信号線が従来通りに高速駆動される。
【００３４】
上記第１３の発明によれば、様々な窓口等に設置しても違和感を生ずることのないデザイン性に優れた透明表示装置が実現される。
【図面の簡単な説明】
【００３５】
【図１】本発明の第１の実施形態において、或る１本のゲートバスラインに走査信号を供給するための構成要素を示す、ＴＦＴ基板および対向基板の概略斜視図である。
【図２】上記第１の実施形態に係る液晶表示装置の機能構成を示すブロック図である。
【図３】上記第１の実施形態において、表示部を構成する液晶パネルの概略側面図である。
【図４】上記第１の実施形態において、ＴＦＴ基板の配線構造について説明するための平面模式図である。
【図５】上記第１の実施形態において、ゲートバスラインおよびソースバスラインの駆動方法について説明するための信号波形図である。
【図６】上記第１の実施形態において、対向基板の配線構造について説明するための平面模式図である。
【図７】上記第１の実施形態において、ＴＦＴ基板と対向基板とを貼り合わせた状態を示す平面模式図である。
【図８】上記第１の実施形態におけるゲートドライバおよびソースドライバの実装について説明するための図である。
【図９】図８の左上方の部分拡大図である。
【図１０】図９のＡ−Ａ線断面図である。
【図１１】上記第１の実施形態において、補助容量ラインの存在や各配線の太さを考慮した、表示部内の構成を示す図である。
【図１２】上記第１の実施形態において、光漏れを引き起こしやすい領域について説明するための図である。
【図１３】図１１のＢ−Ｂ線断面図である。
【図１４】上記第１の実施形態において、対向基板側伝達配線の配設状態について説明するための図である。
【図１５】上記第１の実施形態において、対向基板側伝達配線の配設状態について説明するための図である。
【図１６】上記第１の実施形態において、対向基板側伝達配線の配設状態について説明するための図である。
【図１７】上記第１の実施形態における効果について説明するための図である。
【図１８】上記第１の実施形態の第１の変形例において、ＴＦＴ基板の配線構造について説明するための平面模式図である。
【図１９】上記第１の実施形態の第１の変形例において、対向基板の配線構造について説明するための平面模式図である。
【図２０】上記第１の実施形態の第１の変形例において、ＴＦＴ基板と対向基板とを貼り合わせた状態を示す平面模式図である。
【図２１】上記第１の実施形態の第２の変形例において、ＴＦＴ基板の配線構造について説明するための平面模式図である。
【図２２】上記第１の実施形態の第２の変形例において、ゲートバスラインおよびソースバスラインの駆動方法について説明するための信号波形図である。
【図２３】上記第１の実施形態の第２の変形例において、対向基板の配線構造について説明するための平面模式図である。
【図２４】上記第１の実施形態の第２の変形例において、対向基板側伝達配線の配設状態について説明するための図である。
【図２５】上記第１の実施形態の第２の変形例において、ＴＦＴ基板と対向基板とを貼り合わせた状態を示す平面模式図である。
【図２６】カラーフィルタを用いた一般的な液晶表示装置における液晶パネルの対向基板の概略断面図である。
【図２７】図１１に本発明の第２の実施形態におけるブラックマトリクスを追加した図である。
【図２８】一般的なブラックマトリクスの形状を示す平面模式図である。
【図２９】上記第２の実施形態におけるブラックマトリクスの形状の一例を示す平面模式図である。
【図３０】上記第２の実施形態におけるブラックマトリクスの形状の別の例を示す平面模式図である。
【図３１】本発明の第３の実施形態において、ＴＦＴ基板の配線構造について説明するための平面模式図である。
【図３２】上記第３の実施形態において、対向基板の配線構造について説明するための平面模式図である。
【図３３】上記第３の実施形態において、ＴＦＴ基板と対向基板とを貼り合わせた状態を示す平面模式図である。
【図３４】上記第３の実施形態の変形例において、アレイ基板側伝達配線の長さの調整について説明するための図である。
【図３５】上記第３の実施形態の変形例において、非表示領域での対向基板側伝達配線の引き回しについて説明するための図である。
【図３６】上記第３の実施形態の変形例において、対向基板側伝達配線の幅の調整について説明するための図である。
【図３７】本発明の第４の実施形態において、ＴＦＴ基板の配線構造について説明するための平面模式図である。
【図３８】上記第４の実施形態おいて、対向基板の配線構造について説明するための平面模式図である。
【図３９】上記第４の実施形態において、ＴＦＴ基板と対向基板とを貼り合わせた状態を示す平面模式図である。
【図４０】上記第１〜第４の実施形態のいずれかに係る表示装置を透明ディスプレイに適用した場合について説明するための図である。
【図４１】透明ディスプレイをオフィス等の窓口に設置した状態の一例を示す図である。
【図４２】第２の従来構成におけるＴＦＴ基板の配線構造の一例を示す平面模式図である。
【発明を実施するための形態】
【００３６】
以下、添付図面を参照しながら、本発明の実施形態について説明する。
【００３７】
＜１．第１の実施形態＞
＜１．１  概略構成＞
図２は、本発明の第１の実施形態に係る液晶表示装置の機能構成を示すブロック図である。この液晶表示装置は、機能的には、表示制御回路３００とゲートドライバ（走査信号線駆動部）３１０とソースドライバ（映像信号線駆動部）３２０と表示部４００とによって構成されている。表示部４００には、複数本のソースバスライン（映像信号線）ＳＬと複数本のゲートバスライン（走査信号線）ＧＬとが配設されている。また、表示部４００には、複数本のゲートバスラインＧＬと１対１で対応するように複数本の補助容量ラインＣｓが配設されている。さらに、表示部４００には、画素を形成する複数個の画素形成部４が設けられている。各画素形成部４には、対応する交差点を通過するゲートバスラインＧＬにゲート端子が接続されると共に当該交差点を通過するソースバスラインＳＬにソース端子が接続されたスイッチング素子であるＴＦＴ（薄膜トランジスタ）４０と、そのＴＦＴ４０のドレイン端子に接続された画素電極４１と、画素電極４１と共通電極４４とによって形成される液晶容量４２と、画素電極４１と補助容量ラインＣｓとによって形成される補助容量４３とが含まれている。共通電極４４は、全ての画素形成部４に共通的に設けられている。また、液晶容量４２と補助容量４３とによって画素容量が構成されている。なお、図２における表示部４００内には、１つの画素形成部４に対応する構成要素のみを示している。
【００３８】
表示制御回路３００は、入力画像信号ＤＩＮを受け取り、デジタル映像信号ＤＶと、ゲートドライバ３１０の動作を制御するためのゲートスタートパルス信号ＧＳＰおよびゲートクロック信号ＧＣＫと、ソースドライバ３２０の動作を制御するためのソーススタートパルス信号ＳＳＰ，ソースクロック信号ＳＣＫ，およびラッチストローブ信号ＬＳとを出力する。
【００３９】
ゲートドライバ３１０は、表示制御回路３００から送られるゲートスタートパルス信号ＧＳＰとゲートクロック信号ＧＣＫとに基づいて、アクティブな走査信号の各ゲートバスラインＧＬへの印加を１垂直走査期間を周期として繰り返す。
【００４０】
ソースドライバ３２０は、表示制御回路３００から送られるデジタル映像信号ＤＶ，ソーススタートパルス信号ＳＳＰ，ソースクロック信号ＳＣＫ，およびラッチストローブ信号ＬＳを受け取り、各ソースバスラインＳＬに駆動用映像信号を印加する。このとき、ソースドライバ３２０では、ソースクロック信号ＳＣＫのパルスが発生するタイミングで、各ソースバスラインＳＬに印加すべき電圧を示すデジタル映像信号ＤＶが順次に保持される。そして、ラッチストローブ信号ＬＳのパルスが発生するタイミングで、上記保持されたデジタル映像信号ＤＶがアナログ電圧に変換される。その変換されたアナログ電圧は、駆動用映像信号として全てのソースバスラインＳＬに一斉に印加される。
【００４１】
以上のようにして、各ゲートバスラインＧＬに走査信号が印加され、各ソースバスラインＳＬに駆動用映像信号が印加されることにより、入力画像信号ＤＩＮに応じた画像が表示部４００に表示される。
【００４２】
図３は、表示部４００を構成する液晶パネル（表示パネル）５の概略側面図である。この液晶パネル５は、液晶を挟んで互いに対向するように設けられた２枚のガラス基板であるＴＦＴ基板（アレイ基板）１００および対向基板２００によって構成されている。ＴＦＴ基板１００と対向基板２００とは、例えばシール材１５０によって貼り合わせられている。
【００４３】
＜１．２  配線構造＞
次に、本実施形態における配線構造について説明する。なお、本明細書においては、説明の便宜上、表示部４００には４×４個の画素形成部４が設けられているものと仮定する。
【００４４】
＜１．２．１  ＴＦＴ基板＞
図４は、ＴＦＴ基板１００の配線構造について説明するための平面模式図である。このＴＦＴ基板１００には、４本のゲートバスラインＧＬと８本のソースバスラインＳＬとが配設されている。図４から把握されるように、本実施形態においては、奇数行目の画素電極４１は左側を通過するソースバスラインＳＬから駆動用映像信号が供給され、偶数行目の画素電極４１は右側を通過するソースバスラインＳＬから駆動用映像信号が供給される。このような構成により、本実施形態においては、「ダブルソース駆動」などと呼ばれる駆動方法が採用されている。１〜４行目のゲートバスラインを符号ＧＬ１〜ＧＬ４で表し、１〜８列目のソースバスラインを符号ＳＬ１〜ＳＬ８で表すと、ゲートバスラインＧＬ１〜ＧＬ４およびソースバスラインＳＬ１〜ＳＬ８は図５に示すように駆動される。このようにして、任意のフレームにおいて、隣り合う２つの画素の極性は常に逆になっている。なお、図４の各画素電極４１には、或るフレームにおける画素の極性を示している（図７，図８，図１８，図２０，図２１，図２５，図３１，図３３，図３４，図３７，および図３９も同様）。
【００４５】
図４に示すように、ＴＦＴ基板１００の一辺側（図４では上側）には、ソースバスラインＳＬに与えるための駆動用映像信号をソースドライバ３２０から受け取るためのソースドライバ接続端子１１と、ゲートバスラインＧＬに与えるための走査信号をゲートドライバ３１０から受け取るためのゲートドライバ接続端子１２と、走査信号を伝達するための配線（以下、「アレイ基板側伝達配線」という。）１５と、アレイ基板側伝達配線１５と後述する対向基板側伝達配線２３とを電気的に接続するためのコンタクト部１３とが設けられている。ゲートドライバ接続端子１２とコンタクト部１３とは、アレイ基板側伝達配線１５によって電気的に接続されている。また、ＴＦＴ基板１００の左右両側には、ゲートバスラインＧＬと後述する対向基板側伝達配線２３とを電気的に接続するためのコンタクト部１４が設けられている。なお、図４では、補助容量ラインＣｓの図示を省略している。本実施形態においては、ゲートドライバ接続端子１２によって走査信号入力端子が実現され、コンタクト部１３によって第１のアレイ基板側コンタクト部が実現され、コンタクト部１４によって第２のアレイ基板側コンタクト部が実現されている。
【００４６】
なお、本実施形態においては、各ゲートバスラインＧＬには一端側から走査信号が与えられることを前提としているが、本発明はこれに限定されない。特に画面サイズが大きい場合など、各ゲートバスラインＧＬに両端側から走査信号が与えられる構成が採用されている場合にも本発明を適用することができる。
【００４７】
＜１．２．２  対向基板＞
図６は、対向基板２００の配線構造について説明するための平面模式図である。図６に示すように、対向基板２００には、走査信号を伝達するための配線（以下、「対向基板側伝達配線」という。）２３と、アレイ基板側伝達配線１５と対向基板側伝達配線２３とを電気的に接続するためのコンタクト部２１と、対向基板側伝達配線２３とゲートバスラインＧＬとを電気的に接続するためのコンタクト部２２とが設けられている。コンタクト部２１は、ＴＦＴ基板１００上のコンタクト部１３に対向するように設けられている。コンタクト部２２は、ＴＦＴ基板１００上のコンタクト部１４に対向するように設けられている。コンタクト部２１とコンタクト部２２とは、対向基板側伝達配線２３によって電気的に接続されている。この対向基板側伝達配線２３は、コンタクト部２１に与えられた走査信号をコンタクト部２２に伝達するための配線として機能する。本実施形態においては、コンタクト部２１によって第１の対向基板側コンタクト部が実現され、コンタクト部２２によって第２の対向基板側コンタクト部が実現されている。なお、図６では、共通電極４４の図示を省略している。
【００４８】
以上のように、対向基板２００には、走査信号を伝達する対向基板側伝達配線２３が配設されている。また、上述したように、ＴＦＴ基板１００には、走査信号を伝達するアレイ基板側伝達配線１５が配設されている。すなわち、本実施形態においては、走査信号を伝達するための配線（走査信号伝達配線）が、ＴＦＴ基板１００に配設されたアレイ基板側伝達配線１５と対向基板２００に配設された対向基板側伝達配線２３とによって構成されている。
【００４９】
＜１．２．３  ＴＦＴ基板と対向基板とを貼り合わせた状態＞
図１は、或る１本のゲートバスラインＧＬに走査信号を供給するための構成要素を示す、ＴＦＴ基板１００および対向基板２００の概略斜視図である。また、図７は、ＴＦＴ基板１００と対向基板２００とを貼り合わせた状態を示す平面模式図である。図１および図７から把握されるように、ＴＦＴ基板１００と対向基板２００とが貼り合わせられることにより、アレイ基板側伝達配線１５，コンタクト部１３，コンタクト部２１，対向基板側伝達配線２３，コンタクト部２２，およびコンタクト部１４を介して、ゲートドライバ接続端子１２とゲートバスラインＧＬとが電気的に接続される。これにより、ゲートドライバ接続端子１２に与えられた走査信号は、「アレイ基板側伝達配線１５、コンタクト部１３、コンタクト部２１、対向基板側伝達配線２３、コンタクト部２２、コンタクト部１４、ゲートバスラインＧＬ」という順序で伝達される。このようにして、本実施形態においては、ゲートドライバ３１０からＴＦＴ基板１００のゲートドライバ接続端子１２に与えられた走査信号が対向基板２００を経由してゲートバスラインＧＬに供給される。
【００５０】
本実施形態においては、図８に示すように、ゲートドライバ３１０およびソースドライバ３２０はＦＰＣ（フレキシブル回路基板）６０に実装されている。図９は、図８の左上方の部分拡大図であり、図１０は、図９のＡ−Ａ線断面図である。図１０に示すように、ＴＦＴ基板１００については、ガラス基板６８上にゲートメタル６２（６２ａ，６２ｂ），ゲート絶縁膜６４，ソースメタル６３（６３ａ，６３ｂ），層間膜６５，ＩＴＯ膜（透明電極）６６（６６ａ，６６ｂ，６６ｆ）などが設けられている。また、対向基板２００については、ガラス基板６９上に対向基板側伝達配線６７（図６における対向基板側伝達配線２３）およびＩＴＯ膜６６（６６ｃ，６６ｄ，６６ｅ）などが設けられている。ＦＰＣ６０とＴＦＴ基板１００とは、接続ビーズ６１ａを介して電気的に接続されている。ＴＦＴ基板１００と対向基板２００とは、接続ビーズ６１ｂ，６１ｃを介して電気的に接続されている。
【００５１】
図１０におけるＩＴＯ膜６６ａは、図４におけるゲートドライバ接続端子１２に相当する。このＩＴＯ膜６６ａ上に設けられた接続ビーズ６１ａによって、ＦＰＣ６０とＴＦＴ基板１００とが電気的に接続されている。図１０におけるゲートメタル６２ａおよびソースメタル６３ａは、図４におけるアレイ基板側伝達配線１５に相当する。図１０におけるＩＴＯ膜６６ｂは、図４におけるコンタクト部１３に相当する。図１０におけるＩＴＯ膜６６ｃは、図５におけるコンタクト部２１に相当する。ＩＴＯ膜６６ｂとＩＴＯ膜６６ｃとの間に設けられた接続ビーズ６１ｂによって、ゲートドライバ３１０からＴＦＴ基板１００に送られた走査信号を対向基板２００に与えることが可能になっている。
【００５２】
図１０におけるＩＴＯ膜６６ｄは、共通電極４４である。ＩＴＯ膜６６ｃ，６６ｅと対向基板側伝達配線６７とは電気的に接続されているが、ＩＴＯ膜６６ｄと対向基板側伝達配線６７との間には絶縁膜が設けられている。図１０におけるＩＴＯ膜６６ｅは、図５におけるコンタクト部２２に相当する。図１０におけるＩＴＯ膜６６ｆは、図４におけるコンタクト部１４に相当する。ＩＴＯ膜６６ｅとＩＴＯ膜６６ｆとの間に設けられた接続ビーズ６１ｃによって、対向基板２００からＴＦＴ基板１００に走査信号を与えることが可能になっている。ＩＴＯ膜６６ｆとゲートメタル６２ｂとはソースメタル６３ｂを介して電気的に接続されている。図１０におけるゲートメタル６２ｂは、図４におけるゲートバスラインＧＬに相当する。
【００５３】
以上のような構成により、ＦＰＣ６０に実装されているゲートドライバ３１０から出力された走査信号は、「接続ビーズ６１ａ、ＩＴＯ膜６６ａ、ゲートメタル６２ａ、ソースメタル６３ａ、ＩＴＯ膜６６ｂ、接続ビーズ６１ｂ、ＩＴＯ膜６６ｃ、対向基板側伝達配線６７、ＩＴＯ膜６６ｅ、接続ビーズ６１ｃ、ＩＴＯ膜６６ｆ、ソースメタル６３ｂ、ゲートメタル６２ｂ（ゲートバスラインＧＬに相当）」という順序で伝達される。
【００５４】
なお、図１０に示した構造は一例であって、ＴＦＴ基板１００や対向基板２００の構造は製造プロセスによって異なる。また、ＦＰＣ６０とＴＦＴ基板１００とを接続する接続ビーズ６１ａのサイズとＴＦＴ基板１００と対向基板２００とを接続する接続ビーズ６１ｂ，６１ｃのサイズとは、異なっていても良いし、同じであっても良い。接続ビーズ６１ｂ，６１ｃに関しては、液晶のセル厚が最適な厚さになるようなサイズのものを採用すれば良い。また、ＴＦＴの製造プロセスなどにおいて、セル厚調整用の柱（柱状スペーサ）を立てるようにしても良い。
【００５５】
＜１．２．４  対向基板側伝達配線＞
次に、図１１〜図１４を参照しつつ、本実施形態における対向基板側伝達配線２３の配設状態について説明する。図４で図示を省略していた補助容量ラインＣｓの存在や各配線の太さを考慮すると、表示部４００内は図１１に示すような構成となっている。なお、図１１では、右側に配置された画素電極に駆動用映像信号を供給するソースバスラインに符号ＳＬａを付し、左側に配置された画素電極に駆動用映像信号を供給するソースバスラインに符号ＳＬｂを付している。また、ソースバスラインＳＬａ，ＳＬｂとＴＦＴ４０のソース端子とを接続するためのコンタクト部に符号４９を付している。本実施形態においては、ソースバスラインＳＬａによって第１の映像信号線が実現され、ソースバスラインＳＬｂによって第２の映像信号線が実現されている。
【００５６】
ところで、ゲートバスラインＧＬと補助容量ラインＣｓとの間にはスペースを設ける必要がある。同様に、ソースバスラインＳＬａとソースバスラインＳＬｂとの間にもスペースを設ける必要がある。しかしながら、このようなスペースは光漏れを引き起こす要因となっている。すなわち、図１２で符号８１で示す領域（ゲートバスラインＧＬと補助容量ラインＣｓとの間の領域）および図１２で符号８２で示す領域（ソースバスラインＳＬａとソースバスラインＳＬｂとの間の領域）は、光漏れを引き起こしやすい。液晶表示装置では、このような光漏れに起因して、コントラスト低下などの表示不良が生じる。そこで、本実施形態においては、対向基板２００上に後述のように対向基板側伝達配線２３を配設することによって、光漏れの発生が抑制されている。これについて、図１３および図１４を参照しつつ詳しく説明する。
【００５７】
図１３は、図１１のＢ−Ｂ線断面図である。図１３に示すように、ＴＦＴ基板１００上において、ゲートバスラインＧＬと補助容量ラインＣｓとの間にはスペースが設けられている。ここで、本実施形態においては、図１４に示すように、ゲートバスラインＧＬと補助容量ラインＣｓとの間のスペースを完全に覆うように、対向基板２００上に対向基板側伝達配線２３が配設される。これにより、ゲートバスラインＧＬと補助容量ラインＣｓとの間のスペースの存在に起因する光漏れが抑制される。同様にして、ソースバスラインＳＬａとソースバスラインＳＬｂとの間のスペースを完全に覆うように、対向基板２００上に対向基板側伝達配線２３が配設される。これにより、ソースバスラインＳＬａとソースバスラインＳＬｂとの間のスペースの存在に起因する光漏れが抑制される。また、対向基板側伝達配線２３がゲートバスラインＧＬや補助容量ラインＣｓやソースバスラインＳＬと上下方向に重なるように配設されることにより、対向基板２００上に対向基板側伝達配線２３を配設することに起因する開口率の低下が抑制される。
【００５８】
以上のように、ゲートバスラインＧＬの延びる方向に着目すると、対向基板側伝達配線２３は、ゲートバスラインＧＬと補助容量ラインＣｓとの間の領域を覆うように配設されている。また、ソースバスラインＳＬの延びる方向に着目すると、対向基板側伝達配線２３は、ソースバスラインＳＬａとソースバスラインＳＬｂとの間の領域を覆うように配設されている。
【００５９】
但し、本発明はこれに限定されず、対向基板２００上においてゲートバスラインＧＬと対向する位置に対向基板側伝達配線２３が配設された構成（図１５参照）や対向基板２００上において補助容量ラインＣｓと対向する位置に対向基板側伝達配線２３が配設された構成（図１６参照）を採用することもできる。
【００６０】
＜１．３  効果＞
本実施形態によれば、表示部４００内のゲートバスラインＧＬを駆動するゲートドライバ３１０および表示部４００内のソースバスラインＳＬを駆動するソースドライバ３２０の双方は、液晶パネル５の一辺側、詳しくは従来よりソースドライバ３２０が配置されている側に配置される。このような構成において、対向基板２００上に、ゲートドライバ３１０から出力される走査信号をゲートバスラインＧＬに伝達するための配線（対向基板側伝達配線２３）が設けられている（図１参照）。このため、走査信号伝達配線のために従来技術において必要とされていた配線領域（図１７で符号８３で示す領域）（図４２で符号９９Ｌ，９９Ｒで示す領域）が不要となる。このようにして、図１７に示すように、従来技術と比較して額縁領域を削減することが可能となる。詳しくは、液晶パネル５の三辺において額縁領域を極めて狭くすることが可能となる。これにより、従来と比較して、液晶表示装置が小型化される。以上より、本実施形態によれば、従来よりも額縁を顕著に小さくした液晶表示装置を提供することが可能となる。
【００６１】
＜１．４  変形例＞
以下、上記第１の実施形態の変形例について説明する。
【００６２】
＜１．４．１  第１の変形例＞
上記第１の実施形態においては、「ダブルソース駆動」などと呼ばれる駆動方法が採用されている。このため、図５に示したように、ゲートバスラインＧＬは２行ずつ駆動される。このことを考慮すると、ＴＦＴ基板１００上において各奇数行目のゲートバスラインとその次の行のゲートバスライン（すなわち、偶数行目のゲートバスライン）とが互いに接続された構成（本変形例の構成）を採用することもできる。
【００６３】
図１８は、本変形例におけるＴＦＴ基板１００の配線構造について説明するための平面模式図である。図１８に示すように、１行目のゲートバスラインＧＬ１と２行目のゲートバスラインＧＬ２とが互いに接続され、３行目のゲートバスラインＧＬ３と４行目のゲートバスラインＧＬ４とが互いに接続されている。これにより、ＴＦＴ基板１００上に必要とされるコンタクト部１４の数が上記第１の実施形態（図４参照）の２分の１となる。従って、本変形例で必要とされる走査信号伝達配線の数が上記第１の実施形態の２分の１となる。すなわち、ＴＦＴ基板１００上に必要とされるアレイ基板側伝達配線１５の数が上記第１の実施形態の２分の１となる。また、ゲートドライバ接続端子１２およびコンタクト部１３の数についても、上記第１の実施形態の２分の１となる。
【００６４】
図１９は、本変形例における対向基板２００の配線構造について説明するための平面模式図である。上述したように、本変形例によれば、走査信号伝達配線の数が上記第１の実施形態の２分の１となる。すなわち、対向基板２００上に必要とされる対向基板側伝達配線２３の数が上記第１の実施形態の２分の１となる。また、図１９から把握されるように、本変形例においては、コンタクト部２１およびコンタクト部２２の数についても、上記第１の実施形態（図６参照）の２分の１となる。
【００６５】
図２０は、本変形例において、ＴＦＴ基板１００と対向基板２００とを貼り合わせた状態を示す平面模式図である。上述のようなＴＦＴ基板１００と対向基板２００とが貼り合わせられることにより、本変形例によれば、２行分の走査信号が１組の「ゲートドライバ接続端子１２，アレイ基板側伝達配線１５，コンタクト部１３，コンタクト部２１，対向基板側伝達配線２３，コンタクト部２２，およびコンタクト部１４」によってゲートバスラインＧＬに与えられる。以上のように、必要とされる構成要素の数が上記第１の実施形態よりも少なくなるので、コスト低減の効果が得られる。
【００６６】
＜１．４．２  第２の変形例＞
上記第１の実施形態においては、「ダブルソース駆動」などと呼ばれる駆動方法が採用されていた。しかしながら、本発明はこれに限定されず、ゲートバスラインＧＬを１本ずつ駆動する通常の駆動方法が採用されている構成（本変形例の構成）にも本発明を適用することができる。
【００６７】
図２１は、本変形例におけるＴＦＴ基板１００の配線構造について説明するための平面模式図である。このＴＦＴ基板１００には、４本のゲートバスラインＧＬと４本のソースバスラインＳＬとが配設されている。図２１から把握されるように、本変形例においては、全ての画素電極４１は左側を通過するソースバスラインＳＬから駆動用映像信号が供給される。１〜４行目のゲートバスラインを符号ＧＬ１〜ＧＬ４で表し、１〜４列目のソースバスラインを符号ＳＬ１〜ＳＬ４で表すと、ゲートバスラインＧＬ１〜ＧＬ４およびソースバスラインＳＬ１〜ＳＬ４は図２２に示すように駆動される。このようにして、上記第１の実施形態と同様、任意のフレームにおいて、隣り合う２つの画素の極性は常に逆になっている。ゲートドライバ接続端子１２，コンタクト部１３，コンタクト部１４，およびアレイ基板側伝達配線１５の構成については、上記第１の実施形態における構成（図４参照）と同様になっている。
【００６８】
図２３は、本変形例における対向基板２００の配線構造について説明するための平面模式図である。上記第１の実施形態（図６参照）と同様、対向基板２００には、対向基板側伝達配線２３，コンタクト部２１，およびコンタクト部２２が設けられている。コンタクト部２１は、ＴＦＴ基板１００上のコンタクト部１３に対向するように設けられている。コンタクト部２２は、ＴＦＴ基板１００上のコンタクト部１４に対向するように設けられている。コンタクト部２１とコンタクト部２２とは、対向基板側伝達配線２３によって電気的に接続されている。
【００６９】
ところで、本変形例においては通常の駆動方法が採用されているので、列と列の間にはソースバスラインＳＬは１本だけ存在する。このため、本変形例においては、図２４に示すように、対向基板２００上においてソースバスラインＳＬと対向する位置に対向基板側伝達配線２３が配設される。従って、本変形例においては、ＴＦＴ基板１００と対向基板２００とを貼り合わせた状態を示す平面模式図は、図２５に示すようなものとなる。
【００７０】
＜２．第２の実施形態＞
＜２．１  概要＞
図２６は、カラーフィルタを用いた一般的な液晶表示装置における液晶パネルの対向基板２００の概略断面図である。図２６に示すように、ガラス基板６９上にカラーフィルタとしての着色層（赤色の着色層７０Ｒ，緑色の着色層７０Ｇ，および青色の着色層７０Ｂ）が形成され、着色層の上層にオーバーコート層７２および共通電極４４として機能するＩＴＯ膜６６が順次に形成されている。ここで、隣接する着色層の間には、隣接する画素間からの光漏れを防止するためのブラックマトリクス７１と呼ばれる遮光層が形成されている。本実施形態においては、このブラックマトリクス７１が、走査信号伝達配線（対向基板側伝達配線２３）として用いられる。なお、本実施形態はカラーフィルタを用いた液晶表示装置を例に挙げて説明しているが、カラーフィルタを用いない液晶表示装置においても、対向基板２００上にブラックマトリクス７１が形成される。従って、カラーフィルタを用いない液晶表示装置についても、ブラックマトリクス７１を走査信号伝達配線（対向基板側伝達配線２３）として用いることができる。
【００７１】
＜２．２  ブラックマトリクスの構成＞
図２７は、図１１に本実施形態におけるブラックマトリクス７１を追加した図である。ゲートバスラインＧＬの延びる方向に着目すると、ブラックマトリクス７１は、ゲートバスラインＧＬと補助容量ラインＣｓとの間の領域を覆うように形成されている。また、ソースバスラインＳＬの延びる方向に着目すると、ブラックマトリクス７１は、ソースバスラインＳＬａとソースバスラインＳＬｂとの間の領域を覆うように形成されている。
【００７２】
図２８は、一般的なブラックマトリクスの形状を示す平面模式図である。これに対して、図２９は、本実施形態におけるブラックマトリクス７１の形状の一例を示す平面模式図である。本実施形態においては、４本の対向基板側伝達配線２３がブラックマトリクス７１によって実現されなければならないので、ブラックマトリクス７１は少なくとも４つの部分に分割される。但し、各部分の時定数が大きくならないよう、ブラックマトリクス７１は図２９に示すように分割されることが好ましい。時定数が大きくなると、走査信号の遅延が生じるからである。従って、走査信号伝達配線として機能しない浮島状の部分も設けられる。なお、走査信号伝達配線として機能するそれぞれの部分の時定数を同程度の値にすることができるのであれば、図３０に示すようにブラックマトリクス７１が最小限の数に分割された構成を採用することもできる。
【００７３】
＜２．３  効果＞
本実施形態によれば、ブラックマトリクス７１が走査信号伝達配線（対向基板側伝達配線２３）として用いられるので、対向基板２００上に新たな配線を設ける必要がない。従って、従来とほぼ同様の製造プロセスで、隣接する画素間からの光漏れを防止しつつ走査信号を伝達する機能を有する配線を対向基板２００上に設けることが可能となる。これにより、従来とほぼ同様の製造プロセスで、従来よりも額縁を顕著に小さくすることが可能となる。
【００７４】
＜３．第３の実施形態＞
＜３．１  概要＞
ソースバスラインＳＬの一端側にゲートドライバ接続端子１２が設けられた構成においては、ゲートバスラインＧＬの位置によって走査信号伝達配線の長さが異なる。例えば、上記第１の実施形態の構成（図４）においては、１行目のゲートバスラインＧＬに対応して設けられている走査信号伝達配線が最も短く、４行目のゲートバスラインＧＬに対応して設けられている走査信号伝達配線が最も長い。このように走査信号伝達配線の長さが異なると、抵抗値および容量値が異なる（すなわち、時定数が異なる）ので、駆動タイミングにずれが生じ、行毎に充電時間が異なることとなる。その結果、表示品位が低下する。従って、全ての走査信号伝達配線の長さが同じであることが好ましい。そこで、本実施形態においては、全ての走査信号伝達配線の時定数を等しくするために、全ての走査信号伝達配線の長さが同じになるように各走査信号伝達配線が配設されている。なお、ここでの「同じ」という意味には、全ての走査信号伝達配線の長さが完全に一致することのみならず、全ての走査信号伝達配線の長さがほぼ一致することも含まれる。
【００７５】
＜３．２  配線構造＞
図３１は、本実施形態におけるＴＦＴ基板１００の配線構造について説明するための平面模式図である。なお、図３１には、ＴＦＴ基板１００の一部のみを示している（図３２〜図３９についても同様）。図３１から把握されるように、ＴＦＴ基板１００については、上記第１の実施形態における構成（図４参照）と同様の構成となっている。
【００７６】
図３２は、本実施形態における対向基板２００の配線構造について説明するための平面模式図である。図３２に示すように、本実施形態においては、コンタクト部２１からコンタクト部２２までの対向基板側伝達配線の配線経路が、上記第１の実施形態（図６参照）とは異なっている。図３２に示す例では、対向基板側伝達配線２３ａの長さと対向基板側伝達配線２３ｂの長さとが同じになるよう、対向基板側伝達配線２３ａおよび対向基板側伝達配線２３ｂが対向基板２００上で引き回されている。これにより、対向基板側伝達配線２３ａの時定数と対向基板側伝達配線２３ｂの時定数とが等しくなっている。なお、本実施形態においては、ＴＦＴ基板１００と対向基板２００とを貼り合わせた状態を示す平面模式図は、図３３に示すようなものとなる。
【００７７】
＜３．３  効果＞
本実施形態によれば、ＴＦＴ基板１００上の全てのアレイ基板側伝達配線１５の長さが同じになっており、かつ、対向基板２００上の全ての対向基板側伝達配線２３の長さが同じになっている。従って、全ての走査信号伝達配線の長さが同じになっている。このため、全ての走査信号伝達配線の時定数が等しくなっている。これにより、走査信号伝達配線間の時定数の差に起因して行毎に充電時間が異なることが抑制される。以上より、表示品位を低下させることなく従来よりも額縁を顕著に小さくした液晶表示装置を提供することが可能となる。また、全ての行の充電時間を等しくするための駆動タイミングの調整が不要となる。
【００７８】
＜３．４  変形例＞
上記第３の実施形態においては、ＴＦＴ基板１００上の全てのアレイ基板側伝達配線１５の長さが同じになっていたが、本発明はこれに限定されない。例えば図３４に示すように、ＴＦＴ基板１００に配設されるアレイ基板側伝達配線１５の長さを調整することによって、全ての走査信号伝達配線の時定数を等しくするようにしても良い。
【００７９】
また、対向基板２００上の非表示領域で対向基板側伝達配線２３ａを例えば図３５に示すように引き回すことによって、全ての走査信号伝達配線の時定数を等しくするようにしても良い。なお、全ての走査信号伝達配線の時定数が等しくなるのであれば、配線長の調整は、ＴＦＴ基板１００でのみ行われても良いし、対向基板２００でのみ行われても良いし、ＴＦＴ基板１００および対向基板２００の双方で行われても良い。
【００８０】
さらに、例えば図３６に示すように対向基板側伝達配線２３ａ，２３ｂの幅を調整することによって、全ての走査信号伝達配線の時定数を等しくするようにしても良い。その際、抵抗値および容量値を考慮して、各対向基板側伝達配線の幅が決定される。このような幅の調整は、「ダブルソース駆動」などと呼ばれる駆動方法が採用されている場合に特に効果的である。なお、アレイ基板側伝達配線１５の幅を調整するようにしても良い。
【００８１】
＜４．第４の実施形態＞
＜４．１  概要＞
上記第１〜第３の実施形態においては、対向基板側伝達配線２３とゲートバスラインＧＬとを電気的に接続するためのコンタクト部１４，２２は、液晶パネル５の二辺近傍（ゲートバスラインＧＬの端部近傍）に設けられていた。しかしながら、本発明はこれに限定されず、上記コンタクト部１４，２２が表示領域内（画素内）に設けられる構成（本実施形態の構成）を採用することもできる。
【００８２】
＜４．２  構成＞
図３７は、本実施形態におけるＴＦＴ基板１００の配線構造について説明するための平面模式図である。図３８は、本実施形態における対向基板２００の配線構造について説明するための平面模式図である。図３７および図３８に示すように、本実施形態においては、対向基板側伝達配線２３とゲートバスラインＧＬとを電気的に接続するためのコンタクト部１４，２２が表示領域内（画素内）に設けられている。コンタクト部１４，２２以外の構成については、上記第１の実施形態と同様である。なお、本実施形態においては、ＴＦＴ基板１００と対向基板２００とを貼り合わせた状態を示す平面模式図は、図３９に示すようなものとなる。
【００８３】
以上のような構成により、本実施形態においても、ゲートドライバ接続端子１２に与えられた走査信号は、「アレイ基板側伝達配線１５、コンタクト部１３、コンタクト部２１、対向基板側伝達配線２３、コンタクト部２２、コンタクト部１４、ゲートバスラインＧＬ」という順序で伝達される。
【００８４】
なお、上記第２の実施形態のようにブラックマトリクス７１が走査信号伝達配線（対向基板側伝達配線２３）として用いられる場合にもコンタクト部１４，２２が表示領域内（画素内）に設けられる構成を採用することができるし、上記第３の実施形態のように全ての走査信号伝達配線の長さが同じにされている場合にもコンタクト部１４，２２が表示領域内（画素内）に設けられる構成を採用することができる。
【００８５】
＜４．３  効果＞
本実施形態によれば、対向基板側伝達配線２３とゲートバスラインＧＬとを電気的に接続するためのコンタクト部１４，２２が、上記第１の実施形態とは異なり、表示領域内（画素内）に設けられている。このため、ゲートバスラインＧＬの両端部にはコンタクト部１４，２２を設ける必要がない。従って、ゲートバスラインＧＬの両端部の額縁領域をほぼなくすことが可能となる。以上より、液晶表示装置に関し、コンタクト部１４，２２が液晶パネル５の二辺近傍に設けられる構成に比べて、更に額縁領域を狭くすることが可能となる（超狭額縁化が可能となる）。
【００８６】
＜５．透明ディスプレイとしての使用＞
近年、背景を透過状態にしつつ画像表示を行うことのできる表示装置（画面の向こう側を見ることができる表示装置）の開発が進められている。このような表示装置は「透明ディスプレイ」，「シースルーディスプレイ」などと呼ばれている。このような透明ディスプレイに関しては、デザイン性が重視される。この点を考慮すると、額縁領域ができるだけ狭いことが好ましい。そこで、上記第１〜第４の実施形態に係る表示装置を透明ディスプレイとして採用しても良い。
【００８７】
図４０は、上記第１〜第４の実施形態のいずれかに係る表示装置を透明ディスプレイ５０に適用した場合について説明するための図である。この透明ディスプレイ５０は、パネル部５１および台部５２によって構成されている。パネル部５１については、図４０における上辺，左辺，および右辺には額縁領域が設けられていない。すなわち、三辺が「額縁レス」と呼ばれる構成になっている。パネル部５１の下辺側には、ゲートドライバ３１０やソースドライバ３２０などの回路部を格納する台部５２が設けられている。この透明ディスプレイ５０は典型的にはカラーフィルタを有さない表示装置であって、３色（赤色，緑色，および青色）のＬＥＤを用いたフィールドシーケンシャル駆動が行われる。但し、表示部の透過率が高い場合には、この透明ディスプレイ５０がカラーフィルタを有する表示装置であっても良い。
【００８８】
図４１は、上述の透明ディスプレイ５０をオフィス等の窓口に設置した状態の一例を示す図である。パネル部５１の三辺が「額縁レス」になっているので、図４１に示すように奥側の人５３が手前側の人５４にディスプレイ越しに画像を指し示すことが可能となっている。
【００８９】
以上のように、上記第１〜第４の実施形態のいずれかに係る表示装置を用いると、様々な窓口等に設置しても違和感を生ずることのないデザイン性に優れた透明ディスプレイ５０を実現することができる。このようにして、表示装置の使用用途も拡大される。
【００９０】
＜６．その他＞
本発明は上記各実施形態および上記各変形例に限定されるものではなく、本発明の範囲を逸脱しない限りにおいて種々の変形を施すことができる。例えば、画素の構造やゲートバスラインＧＬおよびソースバスラインＳＬの駆動方法は特に限定されない。
【００９１】
＜７．付記＞
本発明に係る表示装置として、以下に記す構成が考えられる。
【００９２】
（付記１）
映像信号を伝達するための映像信号線ＳＬと、前記映像信号線ＳＬと交差する走査信号線ＧＬと、前記映像信号線ＳＬと前記走査信号線ＧＬとの交差点に対応して設けられた画素電極４１とを有する表示装置であって、
前記走査信号線ＧＬを駆動する走査信号線駆動部３１０と、
前記映像信号線ＳＬを駆動する映像信号線駆動部３２０と、
前記走査信号線ＧＬおよび前記映像信号線ＳＬが配設され前記走査信号線駆動部３１０から出力される走査信号が与えられる走査信号入力端子１２を有するアレイ基板１００と、前記アレイ基板１００に対向するように設けられた対向基板２００とからなり、前記走査信号入力端子１２から前記走査信号線ＧＬに前記走査信号を伝達するための走査信号伝達配線が設けられた表示パネル５と
を備え、
前記表示パネル５の一辺側に、前記走査信号線駆動部３１０および前記映像信号線駆動部３２０の双方が設けられ、
前記走査信号伝達配線は、前記アレイ基板１００に配設されたアレイ基板側伝達配線１５と前記対向基板２００に配設された対向基板側伝達配線２３とによって構成され、
前記アレイ基板１００には、前記アレイ基板側伝達配線１５と前記対向基板側伝達配線２３とを電気的に接続するための第１のアレイ基板側コンタクト部１３と、前記対向基板側伝達配線２３と前記走査信号線ＧＬとを電気的に接続するための第２のアレイ基板側コンタクト部１４とが形成され、
前記対向基板２００には、前記アレイ基板側伝達配線１５と前記対向基板側伝達配線２３とを電気的に接続するための、前記第１のアレイ基板側コンタクト部１３に対向するように設けられた第１の対向基板側コンタクト部２１と、前記対向基板側伝達配線２３と前記走査信号線ＧＬとを電気的に接続するための、前記第２のアレイ基板側コンタクト部１４に対向するように設けられた第２の対向基板側コンタクト部２２とが形成されていることを特徴とする、表示装置。
【００９３】
このような構成によれば、走査信号線ＧＬを駆動する走査信号線駆動部３１０および映像信号線ＳＬを駆動する映像信号線駆動部３２０の双方が、表示パネル５の一辺側に配置される。このような構成において、対向基板２００上に、走査信号線駆動部３１０から出力される走査信号を走査信号線ＧＬに伝達するための走査信号伝達配線（対向基板側伝達配線２３）が設けられる。このため、走査信号伝達配線のために従来技術において必要とされていた配線領域が不要となる。このようにして、従来技術と比較して額縁領域を削減することが可能となる。詳しくは、表示パネル５の三辺において額縁領域を極めて狭くすることが可能となる。以上より、従来よりも額縁を顕著に小さくした表示装置が実現される。
【００９４】
（付記２）
前記走査信号線ＧＬの延びる方向に着目したとき、前記対向基板側伝達配線２３は、前記走査信号線ＧＬの少なくとも一部を覆うように配設され、
前記映像信号線ＳＬの延びる方向に着目したとき、前記対向基板側伝達配線２３は、前記映像信号線ＳＬの少なくとも一部を覆うように配設されていることを特徴とする、付記１に記載の表示装置。
【００９５】
このような構成によれば、対向基板側伝達配線２３は走査信号線ＧＬや映像信号線ＳＬと上下方向に重なるように配設されるので、対向基板２００上に対向基板側伝達配線２３を配設することに起因する開口率の低下が抑制される。
【００９６】
（付記３）
１つの列に対応する映像信号線ＳＬは、奇数行目の画素電極４１に前記映像信号を供給するための第１の映像信号線ＳＬａと偶数行目の画素電極４１に前記映像信号を供給するための第２の映像信号線ＳＬｂとによって構成され、
前記走査信号線駆動部３１０は、２本ずつ前記走査信号線ＧＬを駆動し、
前記映像信号線ＳＬの延びる方向に着目したとき、前記対向基板側伝達配線２３は、互いに近接する前記第１の映像信号線ＳＬａと前記第２の映像信号線ＳＬｂとの間の領域を覆うように配設されていることを特徴とする、付記１に記載の表示装置。
【００９７】
このような構成によれば、「ダブルソース駆動」と呼ばれる駆動方法を採用している表示装置において、互いに近接する２本の映像信号線（ＳＬａ，ＳＬｂ）の間のスペースを覆うように、対向基板２００上に対向基板側伝達配線２３が配設される。これにより、それら２本の映像信号線（ＳＬａ，ＳＬｂ）の間のスペースの存在に起因する光漏れが抑制される。
【００９８】
（付記４）
前記アレイ基板１００は、前記走査信号線ＧＬの近傍に前記走査信号線ＧＬと平行になるように配設された補助容量線Ｃｓを有し、
前記走査信号線ＧＬの延びる方向に着目したとき、前記対向基板側伝達配線２３は、前記走査信号線ＧＬと前記補助容量線Ｃｓとの間の領域を覆うように配設されていることを特徴とする、付記１に記載の表示装置。
【００９９】
このような構成によれば、走査信号線ＧＬと補助容量線Ｃｓとの間のスペースの存在に起因する光漏れが抑制される。
【０１００】
（付記５）
前記対向基板２００には、光漏れを防止するためのブラックマトリクス７１が形成され、
前記ブラックマトリクス７１が前記対向基板側伝達配線２３として用いられていることを特徴とする、付記１に記載の表示装置。
【０１０１】
このような構成によれば、従来より遮光層として用いられていたブラックマトリクス７１が走査信号伝達配線（対向基板側伝達配線２３）としても用いられる。このため、対向基板２００上に新たな配線を設ける必要がない。従って、従来とほぼ同様の製造プロセスで、隣接する画素間からの光漏れを防止しつつ走査信号を伝達する機能を有する走査信号伝達配線を対向基板２００上に設けることが可能となる。これにより、従来とほぼ同様の製造プロセスで、従来よりも額縁を顕著に小さくすることが可能となる。
【０１０２】
（付記６）
前記ブラックマトリクス７１は、前記対向基板側伝達配線２３として機能する部分と前記対向基板側伝達配線２３として機能しない部分とに分割されていることを特徴とする、付記５に記載の表示装置。
【０１０３】
このような構成によれば、ブラックマトリクス７１のうち走査信号伝達配線として機能する部分の時定数が大きくなることが抑制される。このため、走査信号の遅延の発生が抑制され、表示不良の発生が抑制される。
【０１０４】
（付記７）
全ての前記走査信号伝達配線の長さが同じであることを特徴とする、付記１に記載の表示装置。
【０１０５】
このような構成によれば、全ての走査信号伝達配線の時定数が等しくなる。このため、走査信号伝達配線間の時定数の差に起因して行毎に充電時間が異なることが抑制される。これにより、表示品位を低下させることなく従来よりも額縁を顕著に小さくした表示装置が実現される。また、全ての行の充電時間を等しくするための駆動タイミングの調整が不要となる。
【０１０６】
（付記８）
全ての前記アレイ基板側伝達配線１５の長さが同じであって、全ての前記対向基板側伝達配線２３の長さが同じであることを特徴とする、付記７に記載の表示装置。
【０１０７】
このような構成によれば、付記７に記載の構成と同様の効果が得られる。
【０１０８】
（付記９）
前記走査信号伝達配線に関し、前記アレイ基板側伝達配線１５の長さが長いほど前記対向基板側伝達配線２３の長さが短いことを特徴とする、付記７に記載の表示装置。
【０１０９】
このような構成によれば、付記７に記載の構成と同様の効果が得られる。
【０１１０】
（付記１０）
各走査信号伝達配線の幅を調整することによって、全ての前記走査信号伝達配線の時定数が等しくされていることを特徴とする、付記１に記載の表示装置。
【０１１１】
このような構成によれば、付記７に記載の構成と同様の効果が得られる。
【０１１２】
（付記１１）
前記第２のアレイ基板側コンタクト部１４および前記第２の対向基板側コンタクト部２２は、前記走査信号線ＧＬと前記映像信号線ＳＬと前記画素電極４１とが設けられている領域である表示領域に形成されていることを特徴とする、付記１に記載の表示装置。
【０１１３】
このような構成によれば、対向基板側伝達配線２３と走査信号線ＧＬとを電気的に接続するためのコンタクト部（１４，２２）が表示領域内に設けられる。このため、走査信号線ＧＬの両端部にはコンタクト部（１４，２２）を設ける必要がない。従って、走査信号線ＧＬの両端部の額縁領域をほぼなくすことが可能となる。以上より、表示装置に関し、コンタクト部（１４，２２）が表示パネル５の二辺近傍に設けられる構成に比べて、更に額縁領域を狭くすることが可能となる。
【０１１４】
（付記１２）
前記走査信号線駆動部３１０および前記映像信号線駆動部３２０は、前記表示パネル５の四辺のうちの前記走査信号線ＧＬに平行な一辺側に設けられていることを特徴とする、付記１に記載の表示装置。
【０１１５】
このような構成によれば、映像信号線ＳＬが従来通りに高速駆動される。
【０１１６】
（付記１３）
前記表示パネル５は、背景を透過状態にしつつ画像を表示することができることを特徴とする、付記１から付記１２までのいずれかに記載の表示装置。
【０１１７】
このような構成によれば、様々な窓口等に設置しても違和感を生ずることのないデザイン性に優れた透明表示装置５０が実現される。
【符号の説明】
【０１１８】
４…画素形成部
５…液晶パネル
１１…ソースドライバ接続端子
１２…ゲートドライバ接続端子
１３，１４…ＴＦＴ基板側のコンタクト部
１５…アレイ基板側伝達配線
２１，２２…対向基板側のコンタクト部
２３…対向基板側伝達配線
４０…ＴＦＴ
４１…画素電極
４４…共通電極
５０…透明ディスプレイ
６０…ＦＰＣ（フレキシブル回路基板）
７１…ブラックマトリクス
１００…ＴＦＴ基板
２００…対向基板
３００…表示制御回路
３１０…ゲートドライバ
３２０…ソースドライバ
４００…表示部
ＧＬ…ゲートバスライン
ＳＬ…ソースバスライン
Ｃｓ…補助容量ライン
【図１】
2015055712.tif 000003
【図２】
2015055712.tif 000004
【図３】
2015055712.tif 000005
【図４】
2015055712.tif 000006
【図５】
2015055712.tif 000007
【図６】
2015055712.tif 000008
【図７】
2015055712.tif 000009
【図８】
2015055712.tif 000010
【図９】
2015055712.tif 000011
【図１０】
2015055712.tif 000012
【図１１】
2015055712.tif 000013
【図１２】
2015055712.tif 000014
【図１３】
2015055712.tif 000015
【図１４】
2015055712.tif 000016
【図１５】
2015055712.tif 000017
【図１６】
2015055712.tif 000018
【図１７】
2015055712.tif 000019
【図１８】
2015055712.tif 000020
【図１９】
2015055712.tif 000021
【図２０】
2015055712.tif 000022
【図２１】
2015055712.tif 000023
【図２２】
2015055712.tif 000024
【図２３】
2015055712.tif 000025
【図２４】
2015055712.tif 000026
【図２５】
2015055712.tif 000027
【図２６】
2015055712.tif 000028
【図２７】
2015055712.tif 000029
【図２８】
2015055712.tif 000030
【図２９】
2015055712.tif 000031
【図３０】
2015055712.tif 000032
【図３１】
2015055712.tif 000033
【図３２】
2015055712.tif 000034
【図３３】
2015055712.tif 000035
【図３４】
2015055712.tif 000036
【図３５】
2015055712.tif 000037
【図３６】
2015055712.tif 000038
【図３７】
2015055712.tif 000039
【図３８】
2015055712.tif 000040
【図３９】
2015055712.tif 000041
【図４０】
2015055712.tif 000042
【図４１】
2015055712.tif 000043
【図４２】
2015055712.tif 000044